(57)【要約】【課題】散水器、板状氷シュート或いは製氷室の取り外し前のハウジング内の位置及び当該取り外し後再度の取り付け後の散水器、板状氷シュート或いは製氷室のハウジング内の位置が、ハウジングの左右方向及び前後方向の少なくともいずれかにおいてずれを生じないようにした製氷機を提供する。【解決手段】氷シュート３０は、突起３５にて、ハウジング１０の後壁１０ｂの窪み部Ｈ内に左右方向に位置ずれ不能に係合している。散水器２０は、突起２４にて、後壁１０ｂのストッパＳの凹部１９ｃ内に左右方向に位置ずれ不能に係合している。【選択図】    図１
2004324950.tif 000002
【特許請求の範囲】
【請求項１】
左右両壁、前後両壁により略矩形筒状に形成されて製氷水タンク上に立設されるハウジングと、前記ハウジング内に前記前壁に形成した前側開口部から前後方向に位置ずれ不能に収容される散水器であって直上に向け複数のノズルを突出してなる散水器と、前記ハウジング内に前記散水器の直上にて前記ハウジングの後壁側から前記前側開口部側にかけて下方へ傾斜するように前記前側開口部から前後方向に位置ずれ不能に収容される板状氷シュートであって前記各ノズルに対応する各通過口を有する氷シュートと、左右両端部にて前記ハウジングの上端部に着脱可能に取り付けられる上壁及びこの上壁から前記氷シュートの各通過口に向けて開口するように垂下する各セルを有する製氷室とを備える製氷機において、
前記散水器及び氷シュートの少なくとも一方は、その前端部にて、前記ハウジングの後壁のうち前記散水器及び氷シュートの少なくとも一方の前端部に対する対応部位と前後方向には係脱可能にかつ左右方向に位置ずれ不能に係合する突起を備えていることを特徴とする製氷機。
【請求項２】
前記製氷室の上壁は、その後部にて、前記後壁の上端部に着脱可能にかつ前後方向に位置ずれ不能に取り付けられていることを特徴とする請求項１に記載の製氷機。
【請求項３】
左右両壁、前後両壁により略矩形筒状に形成されて製氷水タンク上に立設されるハウジングと、前記ハウジング内に前記前壁に形成した前側開口部から前後方向に位置ずれ不能に収容される散水器であって直上に向け複数のノズルを突出してなる散水器と、前記ハウジング内に前記散水器の直上にて前記ハウジングの後壁側から前記前側開口部側にかけて下方へ傾斜するように前記前側開口部から前後方向に位置ずれ不能に収容される板状氷シュートであって前記各ノズルに対向する各通過口を有する氷シュートと、前記ハウジングの上端部に左右両端部にて着脱可能に取り付けられる上壁及びこの上壁から前記氷シュートの各通過口に向けて開口するように垂下する各セルを有する製氷室とを備える製氷機において、
前記製氷室の上壁は、その後部にて、前記後壁の上端部に着脱可能にかつ前後方向に位置ずれ不能に取り付けられていることを特徴とする製氷機。
【発明の詳細な説明】
【０００１】
【発明の属する技術分野】
本発明は製氷機に関するものである。
【０００２】
【従来の技術】
従来、製氷機には、下記特許文献１に開示されたものがある。この製氷機は、製氷機本体を製氷水タンク上に配設して構成されている。製氷機本体は、製氷水タンク上に立設する断面矩形状のハウジングのほか、散水器、板状氷シュート及び製氷室を備えている。散水器は、ハウジングの下部内に組み付けられており、この散水器は、その複数のノズルから上方に向け製氷タンク内の製氷水を噴出する。氷シュートは、ハウジングの上下方向中間部位内にて、当該ハウジングの後壁から前壁側扉に向けて、下方へ傾斜して組み付けられており、この氷シュートは、その上方に位置する製氷室の各セルから落下するブロック状の製氷を前壁側扉に向けて案内し当該扉を介し貯氷庫内に放出する。また、製氷室は、ハウジングの上部内に組み付けられており、この製氷室は、氷シュートの各開口に対向する各セルを有する。しかして、当該製氷室においては、散水器の各ノズルから氷シュートの各開口を通り噴出する製氷水が、各セル内に流入して流下する過程において、製氷室上に設けた蒸発器により冷却されてブロック状の製氷として成長する。
【０００３】
【特許文献１】
特開２００１−２２３２２号公報
【０００４】
【発明が解決しようとする課題】
ところで、上記製氷機においては、散水器や氷シュートに溜まったゴミや汚れを洗浄するにあたっては、氷シュートや散水器をハウジングからその扉を介して外部に取り外す。そして、洗浄後、再び、散水器や氷シュートをハウジング内にその扉を介して組み付ける。
【０００５】
しかしながら、氷シュートや散水器の再度の組み付け後のハウジング内の組み付け位置が、氷シュートや散水器の取り外し前のハウジング内での組み付け位置から微妙にずれることがある。
【０００６】
この点に関し、本発明者等は、詳細に検討してみた。これによれば、散水器や氷シュートのハウジング内からの取り外しや当該ハウジング内への組み付けのために、ハウジングの左右方向の内壁間隔は、散水器や氷シュートの左右方向幅よりも幾分（例えば、数ｍｍ程度）大きいことが分かった。このため、上述の取り外し前及び再度の組み付け後において、氷シュートや散水器の組み付け位置は、ハウジングの前後方向ではずれないとしても、ハウジングの左右方向ではずれを生ずる。この左右方向ずれのため、散水器のノズルの噴水口が、これに対応する氷シュートの開口との対応位置にずれを生ずる。
【０００７】
従って、散水器のノズルから噴射する製氷水は、このノズルに対応する氷シュートの開口を円滑には通ることができず、当該開口の周辺部位に当たり、当該開口に対応する製氷室のセルには正しく流入しない。その結果、当該セル内において製氷水はブロック状の製氷として正しく成長しないという不具合を招く。
【０００８】
また、製氷室は、その上壁の左右両端部にて、ハウジングの左右両壁の各上端部にねじ止めして、組み付けられている。当該ねじ止めに要する上壁の左右両端部の穴は、ねじの首下部の外径よりも大きい内径を有する。従って、製氷室の洗浄にあたり、この製氷室をハウジングから取り外し、当該製氷室を、洗浄後、再度、ハウジングにねじ止めにより組み付けても、この組み付け後の製氷室の位置も、取り外し前の製氷室の位置とは微妙にずれる。従って、このようなずれによっても、上述と実質的に同様の不具合を招く。
【０００９】
そこで、本発明は、以上のようなことに対処するため、散水器、板状氷シュート或いは製氷室の取り外し前のハウジング内の位置及び当該取り外し後再度の取り付け後の散水器、板状氷シュート或いは製氷室のハウジング内の位置が、ハウジングの左右方向及び前後方向の少なくともいずれかにおいてずれを生じないようにした製氷機を提供することを目的とする。
【００１０】
【課題を解決するための手段】
上記課題の解決にあたり、本発明に係る製氷機は、請求項１の記載によれば、左右両壁（１０ｄ）、前後両壁（１０ａ、１０ｂ）により略矩形筒状に形成されて製氷水タンク（５０）上に立設されるハウジング（１０）と、ハウジング内に上記前壁に形成した前側開口部（１０ｅ）から前後方向に位置ずれ不能に収容される散水器であって直上に向け複数のノズル（２１ａ）を突出してなる散水器（２０）と、ハウジング内に散水器の直上にてハウジングの後壁（１０ｂ）側から上記前側開口部側にかけて下方へ傾斜するように当該前側開口部から前後方向に位置ずれ不能に収容される板状氷シュートであって各ノズルに対応する各通過口（３１ａ）を有する氷シュート（３０）と、左右両端部にてハウジングの上端部に着脱可能に取り付けられる上壁（４１）及びこの上壁から氷シュートの各通過口に向けて開口するように垂下する各セル（４２）を有する製氷室（４０）とを備える。
【００１１】
当該製氷機において、散水器及び氷シュートの少なくとも一方は、その前端部にて、ハウジングの後壁のうち散水器及び氷シュートの少なくとも一方の前端部に対する対応部位（Ｓ、１９ｃ、Ｓａ、Ｓ１、Ｈ、Ｔ）と前後方向には係脱可能にかつ左右方向に位置ずれ不能に係合する突起（２４、３５、３６）を備えていることを特徴とする。
【００１２】
これにより、散水器及び氷シュートの少なくとも一方が、ハウジングの後壁を基準に左右方向に位置ずれ不能に位置決め固定される。従って、散水器や氷シュートをハウジングから取り外して洗浄した後、再び、散水器及び氷シュートをハウジング内に上述のように取り付けると、散水器及び氷シュートの少なくとも一方は、その突起にて、ハウジングの後壁のうち散水器及び氷シュートの少なくとも一方の前端部に対する対応部位と前後方向には係脱可能にかつ左右方向に位置ずれ不能に係合する。
【００１３】
このため、散水器及び氷シュートの少なくとも一方は、取り外し前の取り付け状態と同様に、ハウジングの後壁を基準に左右方向に位置ずれ不能に位置決め固定される。その結果、散水器の各ノズル及びこれに対応する氷シュートの各通過口の少なくとも一方は、各対応セルと共に、上記ハウジングからの取り外し前の状態と同様に、それぞれ、同軸的に維持される。よって、当該製氷機を製氷モードにおいたとき、散水器及び氷シュートの少なくとも一方のハウジングからの取り外し前及び取り外し後再度のハウジングへの取り付け後のいずれにおいても、各ノズルからの製氷水は、各対応通過口を円滑に通り各対応のセル内に流入するので、各セル内での製氷は良好な形状にて成長し得る。
【００１４】
また、本発明は、請求項２の記載によれば、請求項１に記載の製氷機において、製氷室の上壁は、その後部（４１ａ、４１ｂ、４１ｄ）にて、上記後壁の上端部（ｂ１、ｂ２、４１ｃ）に着脱可能にかつ前後方向に位置ずれ不能に取り付けられていることを特徴とする。
【００１５】
これにより、製氷室が、その上壁にて後壁を基準に前後方向に位置ずれ不能に固定される。このため、ハウジングが合成樹脂材料で形成されておりかつ製氷室の上壁が金属材料で形成されている場合に当該ハウジングが製氷室の上壁から熱伝達を受けて変形することに起因して、当該上壁の左右両端部のハウジングの上端部への取り付け位置のずれが生じ易くても、当該上壁の後部を上述のように上記後壁の上端部に位置決め固定するので、製氷室の上壁の前後左右方向の位置ずれは生じない。その結果、製氷室は、その上壁にて、散水器及び氷シュートの少なくとも一方と共にハウジングの後壁を基準に精度よく位置決め固定される。よって、請求項１に記載の発明の作用効果をより一層向上できる。
【００１６】
また、本発明に係る製氷機は、請求項３の記載によれば、請求項１に記載の製氷機において、
散水器及び氷シュートの少なくとも一方が、その前端部にて、ハウジングの後壁のうち散水器及び氷シュートの少なくとも一方の前端部に対する対応部位（Ｓ、１９ｃ、Ｓａ、Ｓ１、Ｈ、Ｔ）と前後方向には係脱可能にかつ左右方向に位置ずれ不能に係合する突起（２４、３５、３６）を備えていることに代えて、
製氷室の上壁は、その後部（４１ａ、４１ｂ、４１ｄ）にて、上記後壁の上端部（ｂ１、ｂ２、４１ｃ）に着脱可能にかつ前後方向に位置ずれ不能に取り付けられていることを特徴とする。
【００１７】
これにより、製氷室が、その上壁にて後壁を基準に前後方向に位置ずれ不能に固定される。このため、ハウジングが合成樹脂材料で形成されておりかつ製氷室の上壁が金属材料で形成されている場合に当該ハウジングが製氷室の上壁から熱伝達を受けて変形することに起因して、当該上壁の左右両端部のハウジングの上端部への取り付け位置のずれが生じ易くても、当該上壁の後部を上述のように上記後壁の上端部に位置決め固定するので、製氷室の上壁の前後左右方向の位置ずれは生じない。
【００１８】
なお、上記各手段の括弧内の符号は、後述する実施形態に記載の具体的手段との対応関係を示すものである。
【００１９】
【発明の実施の形態】
以下、本発明の各実施形態を図面に基づいて説明する。
（第１実施形態）
図１及び図２は、本発明に係る製氷機の一例を示している。この製氷機は、ハウジング１０を備えており、このハウジング１０は、散水器２０、板状氷シュート３０及び製氷室４０を収容して、製氷水タンク５０上に立設されている。なお、ハウジング１０、散水器２０、板状氷シュート３０及び製氷室４０は、当該製氷機の製氷機本体を構成する。
【００２０】
ハウジング１０は、図１及び図２にて示すごとく、前後両壁１０ａ、１０ｂ、前側扉１０ｃ及び左右両壁１０ｄにより、略矩形筒状に形成されている。前壁１０ａは、図１から分かるように、左右両壁１０ｄの各前端部のうち略上側半分部分間に挟支されて、その下方にて、ハウジング１０の前側開口部１０ｅを形成する。
【００２１】
前側扉１０ｃは、その上端に形成した複数のフック部１１（図１参照）にて、前壁１０ａの下端部に形成した複数の係合孔部１１ａ（図１及び図３参照）に係合されて、前壁１０ａに前後方向へ傾動可能に支持されている。これにより、この前側扉１０ｃは、ハウジング１０の開口部１０ｅを前後方向に開閉する開閉扉として機能する。
【００２２】
後壁１０ｂは、図２にて示すごとく、その左右両端部１２にて、左右両壁１０ｄの各後端部に形成したコ字状収容部１３内に収容されて、前壁１０ａに平行となるように、当該左右両壁１０ｄ間に挟支されている。
【００２３】
左右両壁１０ｄは、図２から分かるように、ハウジング１０の左右方向中央に対し対称的な構成を有しており、当該左右両壁１０ｄは、図２〜図５にて示すごとく、それぞれ、前後両側コ字状収容部１３を備えている。左壁１０ｄにおいては、前後両側コ字状収容部１３は、それぞれ、左壁１０ｄの前後両端部から当該左壁１０ｄの前後方向中央に対し対称的構成にて図３にて図示左方へコ字状に突出形成され、一方、右壁１０ｄにおいては、前後両側コ字状収容部１３は、それぞれ、右壁１０ｄの前後両端部から図３にて図示右方へコ字状に突出形成されている。
【００２４】
左壁１０ｄにおいて、前側収容部１３は、図２〜図６から分かるように、上下両側係合片１３ａを有している。各係合片１３ａは、図６にて例示するごとく、前側収容部１３の内壁部を除く部分にて上下に形成した各切り欠き１３ｂ内にてその底部から図示左方へそれぞれ突出形成されている。また、当該各係合片１３ａは、図６にて例示するごとく、その内面側へ爪１３ｃを突出して形成されている。
【００２５】
しかして、前壁１０ａの左端部は、前側収容部１３内に両係合片１３ａの弾力に抗して図６にて図示矢印方向に収容されており、この前壁１０ａの左端部の上下両側係合穴部１４（図５及び図６参照）は、各係合片１３ａによりその爪１３ｃにてそれぞれ係合されている。これにより、前壁１０ａの左端部は、左壁１０ｄの前端部に対し左右方向に相対移動不能に支持されている。
【００２６】
また、左壁１０ｄにおいて、後側収容部１３は、当該左壁１０ｄの前後方向中央に対し前側収容部１３とは対称的構成を有するように形成されている。従って、当該後側収容部１３の各切り欠き、各係合片及びその各爪には、前側収容部１３の各切り欠き１３ｂ、各係合片１３ａ及びその各爪１３ｃと同一の符号を付してある。
【００２７】
しかして、後壁１０ｂの左端部は、後側収容部１３内に各係合片１３ａの弾力に抗して収容されており、この後壁１０ｂの左端部の上下両側係合穴部１６（図５参照）は、各係合片１３ａによりその各爪１３ｃにて係合されている。これにより、後壁１０ｂの左端部は、左壁１０ｄの後端部に対し左右方向に相対移動不能に支持されている。
【００２８】
右壁１０ｄにおいて、前後両側収容部１３は前後両壁１０ａ、１０ｂの左右方向中央に対し左壁１０ｄの前後両側収容部１３とは対称的構成を有するようにそれぞれ形成されている。従って、右壁１０ｄの前後両側収容部１３の各切り欠き、各係合片及びその各爪には、左壁１０ｄの前後両側収容部１３の各切り欠き１３ｂ、各係合片１３ａ及びその各爪１３ｃと同一の符号を付してある。
【００２９】
しかして、前壁１０ａの右端部は、右壁１０ｄの前側収容部１３内に各係合片１３ａの弾力に抗して収容されており、この前壁１０ａの右端部の上下両側係合穴部１４（図５参照）は、各係合片１３ａによりその各爪１３ｃにて係合されている。これにより、前壁１０ａの右端部は、右壁１０ｄの前端部に対し左右方向に相対移動不能に支持されている。
【００３０】
また、後壁１０ｂの右端部は、右壁１０ｄの前後両側収容部１３内に各係合片１３ａの弾力に抗して収容されており、後壁１０ｂの右端部の上下両側係合穴部１６（図５参照）は、各係合片１３ａによりその各爪１３ｃにて係合されている。これにより、後壁１０ｂの右端部は、右壁１０ｄの後端部に対し左右方向に相対移動不能に支持されている。なお、ハウジング１０、即ち、前後両壁１０ａ、１０ｂ及び左右両壁１０ｄは、合成樹脂材料により形成されている。
【００３１】
散水器２０は、図１〜図３にて示すごとく、複数の扁平管２１を相互に連通するように縦横に連結して扁平直方体状に構成されており、この散水器２０は、左右両側扁平管２１にて、左右両壁１０ｄの各下端部近傍からその内側へ互いに対向して水平状に突出するコ字状の各収容部１５内に沿い、開口部１０ｅを介し後壁１０ｂの左右両端下部に向けて収容されている。これにより、散水器２０は、左右両壁１０ｄの各下端部間に水平状に着脱可能に支持されている。
【００３２】
また、散水器２０は、複数のノズル２１ａを有しており、これらノズル２１ａは、各扁平管２１の上部の適所からマトリクス状に鉛直状に上方へ突出している。このように構成した散水器２０は、製氷水タンク５０内の製氷水をポンプ（図示しない）及び給水ホース２３（図２参照）を介して圧送されて、この圧送製氷水を各ノズル２１ａから直上に向け噴出する。なお、図２にて、符号２２は、一扁平管２１の上部から上方へ延出する給水管を示す。
【００３３】
氷シュート３０は、図１にて示すごとく、ハウジング１０内にて散水器２０の直上に傾斜状に支持されている。この氷シュート３０は、図２及び図４にて示すごとく、複数の細幅状縦板３１及び複数の帯状横板３２を備えており、各縦板３１は、左右に互いに間隔をおいて位置する各横板３２上にその幅方向に沿い互いに間隔をおいて連結されている。これにより、各縦板３１は各横板３２と直角に交叉して複数の通過口３１ａをマトリックス状に形成する。
【００３４】
また、氷シュート３０は、図４にて示すごとく、コ字状の前後両側着座部３３を備えている。前側着座部３３は、その前後両側脚３３ａにて、複数の横板３２のうち氷シュート３０の前端側（後壁１０ｂ側）に位置する横板３２の幅方向両端からこれに垂直に下方に向け延出して、コ字状に形成されている。一方、後側着座部３３は、その前後両側脚３３ａにて、複数の横板３２のうち氷シュート３０の後端側（開口部１０ｅ側）に位置する横板３２の幅方向両端からこれに垂直に下方に向け延出して、コ字状に形成されている。
【００３５】
このように構成した氷シュート３０においては、前側着座部３３は、その両脚３３ａにて、前側管部材３４に上方かつ外方から嵌装され、一方、後側着座部３３は、その両脚３３ａにて、後側管部材３４に上方かつ外方から嵌装されている。ここで、前側管部材３４は、左右両壁１０ｄの各後側上下方向中間部位間に水平状にかつ後壁１０ｂに平行に挟支されている。一方、後側管部材３４は、左右両壁１０ｄの各前側下部間に水平状にかつ後壁１０ｂに平行に挟支されて、前側管部材３４よりも下方に位置している。
【００３６】
しかして、氷シュート３０は、前後両側着座部３３にて前後両側管部材３４に着座して、左右両壁１０ｄ間において、ハウジング１０の開口部１０ｅ側から後壁１０ｂ側にかけて上方へ傾斜して位置するように支持されている。このため、氷シュート３０は、製氷室４０から後述のように落下する各製氷を各縦板３１に沿い前側扉１０ｃに向け案内する。このことは、各縦板３１は案内板としての役割を果たすことを意味する。
【００３７】
なお、氷シュート３０は、上記支持状態では、その前端部（前側着座部３３側端部）にて、後壁１０ｂに対向し、その後端部（後側着座部３３側端部）にて前側扉１０ｃに対向している。また、氷シュート３０の複数の通過口３１ａのうち各ノズル２１ａの直上に位置する各通過口３１ａは、対応の各ノズル２１ａから噴出する製氷水を上方に向けて通過させる。
【００３８】
製氷室４０は、図１〜図４にて示すごとく、ハウジング１０の上側開口部１０ｆ内に取り付けられており、当該製氷室４０は、上壁４１と、複数の管状セル４２とによって構成されている。なお、上壁４１は銅或いはアルミニウム等の金属材料により形成されており、各セル４２は、熱伝導性の良好な金属管材料で形成されている。
【００３９】
ここで、ハウジング１０の上側開口部１０ｆは、図３及び図４にて示すごとく、前後両壁１０ａ、１０ｂの各上端部及び左右両壁１０ｄの各上端部により形成されている。左右両壁１０ｄの各上端部は、図３及び図４にて示すごとく、ハウジング１０の左右方向中央に対し対称的構成を有する凹状フランジ部１７として形成されている。具体的には、左壁１０ｄのフランジ部１７（以下、左側フランジ部１７ともいう）は、上方及び右方へ開口するように横コ字壁状に上方及び左方へ張り出して形成されており、一方、右壁１０ｄのフランジ部１７（以下、右側フランジ部１７ともいう）は、上方及び左方へ開口するように横コ字壁状に上方及び右方へ張り出して形成されている。これにより、左右両側フランジ部１７は、前後両壁１０ａの各上端部と共に、上側開口部１０ｆを形成している。
【００４０】
しかして、製氷室４０において、上壁４１は、その左右両端部にて、左右両側フランジ部１７内にてその底壁内側段部上に各ねじ１７ａにより締着されて、その左右方向中間部位にて、氷シュート３０にその上方から対向している（図２〜図４参照）。また、各セル４２は、それぞれ、上壁４１から各ノズル２１ａに対向して垂下するように上壁４１の裏面のうち左右方向中間部位に設けられており、これら各セル４２は、それぞれ、各対応ノズル２１ａに対向して開口している。このため、各セル４２内には、各ノズル２１ａから氷シュート３０の各対応通過口３１ａを通り噴射される製氷水が流入する。
【００４１】
なお、図１〜図５にて、符号４０ａは、当該製氷機の冷凍回路の一構成要素である蒸発器を示しており、この蒸発器４０ａは上壁４１上に蛇行状に配設された冷却管でもって構成されている。この蒸発器４０ａは、上記冷凍回路内でその圧縮機（図示しない）の作動のもとに循環する冷媒に基づき製氷室４０の各セル４２内の製氷水を冷却して製氷として成長させたり、この製氷を各セル４２から分離可能に溶融する。
【００４２】
製氷水タンク５０は、扁平の略直方体形状に合成樹脂材料で形成されているもので、この製氷水タンク５０は、その左右両側の断面コ字状壁５１にて、図２にて示すように、ハウジング１０の下側開口部１０ｇ（図１参照）の左右両側部（左右両壁１０ｄの各下端部に相当する）に形成した各コ字状収容部１８内に沿い、ハウジング１０の開口部１０ｅ側から後壁１０ｂの下端部側に向け収容されて、図１〜図３から分かるように、ハウジング１０内にその下側開口部１０ｇを介し散水器２０の直下にて開口している。なお、各コ字状収容部１８は、互いに対向して開口するように、左右両壁１０ｄの各下端部からその内側へ水平状に突出形成されている。
【００４３】
また、当該製氷水タンク５０は、図１及び図３にて示すごとく、押圧壁５２を備えており、この押圧壁５２は、図３にて示すように、製氷水タンク５０の前壁５３の左右方向中間部位からその内面に沿い上方へ突設されている。この押圧壁５２は、製氷水タンク５０を上述のようにハウジング１０の下側開口部１０ｇ内に収容したとき、散水器２０の後部（後側扁平管２１）に当接して当該散水器２０を後壁１０ｂ側に向け押圧する（図１参照）。
【００４４】
また、当該製氷水タンク５０は、図３にて示すごとく、左右両側ラッチ部材５４を備えており、これらラッチ部材５４は、製氷水タンク５０の左右方向中央に対し対称的な形状にて、製氷水タンク５０の前壁５３の左右両端部から左右両壁５１の外面に沿うように略Ｌ字板状に延出している。
【００４５】
しかして、製氷水タンク５０を上述のようにハウジング１０の下側開口部１０ｇ内に収容したとき、図７にて例示するごとく、これら両ラッチ部材５４と製氷水タンク５０の左右両壁５１との間に、ハウジング１０の左右両壁１０ｄの下端部（左右両側コ字状収容部１８の各底壁部）が両ラッチ部材の弾力に抗して介装されて、各ラッチ部材５４の係合孔部５４ａ内に、左右両壁１０ｄの下端部の外面に突設した爪１８ａを係合させる。これにより、製氷水タンク５０は、ハウジング１０の下側開口部１０ｇに取り付けられる。
【００４６】
次に、本第１実施形態における本発明の要部の構成について、図１、図３、図４、図８及び図９を参照して説明する。ハウジング１０の後壁１０ｂは、図１、図８及び図９にて示すごとく、窪み部Ｈを備えており、この窪み部Ｈは、図１及び図９にて示すように、後壁１０ｂのうち氷シュート３０の前端部（前側着座部３３側端部）に対向する部位を、後壁１０ｂの外側へ向け縦断面台形状に窪ませるように突出して形成されている。この窪み部Ｈは、図９にて示すごとく、後壁１０ｂに水平方向に長手状に形成されており、当該窪み部Ｈは、図１及び図９から分かるように、その底壁部１９ａから後壁１０ｂの内面側に向けて末広がり状に内周壁部１９ｂを開口して形成されている。
【００４７】
一方、氷シュート３０は、図１、図４及び図８から分かるように、突起３５を備えており、この突起３５は、氷シュート３０の前端部の左右方向中央からその前方へ板状に突出形成されている。当該突起３５は、図８にて示すごとく、窪み部Ｈの内周壁部１９ｂの横断面形状と同一の平面形状を有している。このため、当該突起３５は、その左右両側端面３５ａにて、氷シュート３０の前端部から末すぼまり状に形成されている。しかして、氷シュート３０が図１にて示すごとくハウジング１０内に収容されたとき、突起３５は、その左右両端面３５ａを、窪み部Ｈの内周壁部１９ｂのうち左右両壁部に沿うように当接させて、窪み部Ｈ内に係合する。
【００４８】
また、後壁１０ｂは、図１及び図９にて示すごとく、ストッパＳを備えており、このストッパＳは、後壁１０ｂのうち散水器２０の前端部（前側扁平管２１）に対応する部位に沿い左右方向に帯状に形成されている。また、当該ストッパＳは、後壁１０ｂのうち散水器２０の前端部に対応する部位から前側扉１０ｃに向け水平状に突出形成されている。当該ストッパＳは、図１及び図９にて示すごとく、長方形状凹部１９ｃを備えており、この凹部１９ｃは、ストッパＳのうち散水器２０の前端部に対向する部位に当該前端部に向け開口するように水平方向に長手状に形成されている。
【００４９】
一方、散水器２０は、図１及び図３にて示すごとく、突起２４を備えており、この突起２４は、散水器２０の前端部の左右方向中央からその前方へ板状に突出形成されている。ここで、当該突起２４は、ストッパＳの凹部１９ｃの内形形状に対応する外形形状を有している。このため、散水器２０が図１にて示すごとくハウジング１０内に収容されたとき、突起２４は、ストッパＳの凹部１９ｃ内に係合する。このとき、突起２４の左右両端面は凹部１９ｃの左右内面に沿い当接する。
【００５０】
以上のように構成した本第１実施形態において、氷シュート３０は、図１にて示すごとく、前後両側着座部３３にて、前後両側管部材３４に上方から着座している。これにより、氷シュート３０はハウジング１０内にて前後方向には位置ずれ不能に位置決め固定されている。
【００５１】
このような状態では、氷シュート３０の突起３５はハウジング１０の後壁１０ｂの窪み部Ｈ内に係合しており、当該突起３５の左右両側端面３５ａは窪み部Ｈの内周壁部１９ｂのうち左右両側壁部に沿い当接している。従って、氷シュート３０は、ハウジング１０の左右方向には後壁１０ｂに対し位置ずれ不能に位置決め固定されている。このような位置決め固定のもとでは、氷シュート３０の複数の通過口３１ａのうち製氷室４０の各セル４２にその下方で対応して位置する各通過口３１ａは、それぞれ、当該各セル４２と同軸的に維持されている。
【００５２】
また、散水器２０は、その左右両端部（左右両側扁平管２１）にて、ハウジング１０の左右両側収容部１５内に収容されて氷シュート３０の直下に水平状に保持されている。このとき、散水器２０は、後壁１０ｂのストッパＳと製氷水タンク５０の押圧壁５２との間に挟支されている。このため、散水器２０はハウジング１０内にて前後方向には位置ずれ不能に位置決め固定されている。しかも、当該散水器２０の突起２４は、後壁１０ｂの凹部１９ｃ内に係合し、突起２４の左右両端面は凹部１９ｃの左右両側内面に沿い当接している。従って、散水器２０は、ハウジング１０の左右方向には後壁１０ｂに対し位置ずれ不能に位置決め固定されている。このような位置決め固定のもとでは、氷シュート３０の複数の通過口３１ａのうち散水器２０のノズル２１ａに対応する各通過口３１ａは、これら各通過口３１ａに対応する各セル４２と共に、それぞれ、当該各ノズル２１ａと同軸的に維持されている。
【００５３】
このような状態で、当該製氷機が製氷モードにおかれると、蒸発器４０ａは、上記冷凍回路内を循環する冷媒に基づき冷却機能を発揮する。また、製氷水タンク５０内の製氷水が上記ポンプにより給水ホース２３及び給水管２２を通し散水器２０に圧送されると、この散水器２０は、各ノズル２１ａから当該圧送製氷水を直上に向けて噴出する。このように噴出される各製氷水は、氷シュート３０の複数の通過口３１ａのうち各ノズル２１ａに対する各対応通過口３１ａを通りその直上に位置する製氷室４０の各セル４２内に流入する。ついで、このように流入した各製氷水は各セル４２の内部から製氷水タンク５０内に流下する。このような過程において、各セル４２内に流入する製氷水が蒸発器４０ａにより冷却されて製氷として成長していく。
【００５４】
ここで、上述のように、各セル４２、これら各セルに対する各対応通過口３１ａ及びこれら各通過口に対する各対応ノズル２１ａは、それぞれ、同軸的に位置している。従って、各ノズル２１ａからの製氷水は、氷シュート３０の各対応通過口３１ａの近傍部等に当たることなく、円滑に当該各対応通過口３１ａを通り各セル４２内に流入する。従って、各セル４２内の製氷は、異形氷となることなく、良好な形状にて成長していく。
【００５５】
然る後、当該製氷機が除氷モードにおかれると、蒸発器４０ａが上記冷凍回路の上記圧縮機からの高温圧縮冷媒に基づき製氷室４０を暖める。このため、各セル４２内の製氷が溶融して落下し氷シュート３０により案内されて前側扉１０ｃを押し開けて貯氷庫（図示しない）内に貯氷される。
【００５６】
また、散水器２０や氷シュート３０が汚れた場合には、この散水器２０や氷シュート３０を製氷タンク５０と共にハウジング１０から取り外す。そして、洗浄後、当該散水器２０や氷シュート３０を製氷タンク５０と共にハウジング１０に次のようにして再び取り付ける。
【００５７】
氷シュート３０をハウジング１０内にその前側開口部１０ｅから挿入する。そして、当該氷シュート３０の前後両側着座部３３を前後両側管部材３３に上方かつ着座させる。この着座は、氷シュート３０の突起３５を後壁１０ｂの窪み部Ｈ内に係合させるように行う。これにより、氷シュート３０は、ハウジング１０からの取り外し前の位置決め固定状態と同様に、前後両側管部材３３への着座により前後方向には位置ずれ不能にかつ突起３５の窪み部Ｈ内への係合により左右方向には位置ずれ不能に位置決め固定されて、ハウジング１０の開口部１０ｅ側から後壁１０ｂ側にかけて上方へ傾斜するように支持される。
【００５８】
また、散水器２０を、その左右両端部（左右両側扁平管２１）にて、ハウジング１０の左右両側収容部１５内に沿いハウジング１０の開口部１０ｅから挿入する。この挿入により、散水器２０は、その前端部（前側扁平管２１）にて、後壁１０ｂのストッパＳに係止する。このとき、散水器２０の突起２４はストッパＳの凹部１９ｃ内に左右方向に位置ずれ不能に係合する。
【００５９】
然る後、製氷タンク５０を、その左右両側部５１にて、ハウジング１０の左右両側収容部１８内に沿い開口部１０ｅから挿入する。この挿入に伴い、製氷タンク５０の左右両側ラッチ部材５４は、その係合孔部５４ａにて、左右両壁１０ｄの各爪１８ａと係合する。このため、製氷水タンク５０は、ハウジング１０の下側開口部に前後左右方向に位置ずれ不能に取り付けられる。また、このような状態では、製氷タンク５０の押圧壁５２が散水器２０をストッパＳに向けて押圧する。従って、散水器２０は前後方向に位置ずれ不能に押圧壁５２とストッパＳとにより挟支される。このような状態にて、散水器２０は、上述した突起２４のストッパＳの凹部１９ｃ内への係合のもと、後壁１０ｂに対し左右方向に位置ずれ不能に位置決め固定される。
【００６０】
このように、散水器２０及び氷シュート３０は、製氷タンク５０と共に前後方向には位置ずれ不能に保持された状態で、共に、その取り外し前と同様の状態に、後壁１０ｂを基準に左右方向に位置ずれ不能に位置決め固定される。従って、散水器２０の各ノズル２１ａ及びこれら各ノズルに対する氷シュート３０の各対応通過口３１ａは、散水器２０及び氷シュート３０の取り外し前と同様に、各対応セル４２に対しそれぞれ同軸的に位置決めされる。その結果、再び、当該製氷機を製氷モードにおいたとき、各ノズル２１ａから噴出する製氷水は、各対応の通過口３１ａを円滑に通り各対応セル４２内に流入し得る。よって、各セル４２内に成長する製氷は、製氷水不足による白濁化や、異形氷化を防止しつつ正常に成長し得る。
【００６１】
また、上述のように散水器２０の突起及び氷シュート３０の突起をそれぞれ一つとしたので、散水器２０及び氷シュート３０のハウジング１０内への取り付け及び当該ハウジング１０からの取り外しが簡単に行える。
【００６２】
図１０及び図１１は、上記第１実施形態の第１変形例の要部を示している。この第１変形例においては、上記第１実施形態にて述べたハウジング１０の後壁１０ｂは、窪み部Ｈに代えて、左右両側の帯状突起Ｔを備えており、これら両突起Ｔは、図１０及び図１１から分かるように、後壁１０ｂから内側へ断面矩形状に突出するように、後壁１０ｂの内面に沿いその上端からストッパＳにかけて上下方向に平行に形成されている。
【００６３】
また、本第１変形例では、上記第１実施形態にて述べた氷シュート３０は、突起３５に代えて、板状突起３６を備えており、この突起３６は、氷シュート３０の前端部から前方に突出形成されている。また、この突起３６には、左右両側切り欠き部３６ａが、後壁１０ｂの左右両側突起Ｔに対応してコ字状に形成されている。ここで、切り欠き３６ａの切り欠き形状は、突起Ｔの断面矩形状に対応する形状を有する。その他の構成は上記第１実施形態と同様である。
【００６４】
このように構成した本第１変形例においては、氷シュート３０が前後両側着座部３３にて上記第１実施形態と同様に前後両側管部材３４に上方から着座したとき、後壁１０ｂの両突起Ｔは、氷シュート３０の突起３６の両切り欠き部３６ａ内に左右方向に位置ずれ不能に係合する。このような係合は、氷シュート３０のハウジング１０からの取り外し前と同様に確保される。その結果、本第１変形例によっても、氷シュート３０は、上記第１実施形態と同様に、後壁１０ｂに対し左右方向に位置ずれ不能に位置決め固定される。その他の作用効果は上記第１実施形態と同様である。
【００６５】
図１２は、上記第１実施形態の第２変形例の要部を示している。この第２変形例では、上記第１実施形態にて述べた散水器２０は、突起２４に代えて、フランジ２５を備えており、このフランジ２５は、図１２にて示すごとく、散水器２０の左右両端部及び前端部に沿い略コ字状に形成されている。また、当該フランジ２５の左右両側部は、その各前側外面部２５ａにて、図１２にて示すごとく散水器２０の前端部に向けて末すぼまり状に形成されている。
【００６６】
また、本第２変形例では、上記第１実施形態にて述べた左右両壁１０ｄは、図１３にて示すごとく、その各後部１９ｄにて、散水器２０のフランジ２５の左右両側部の各前側外面部２５ａに沿うように末すぼまり状に形成されている。また、後壁１０ｂの突起Ｓは廃止されている。なお、図１２では、上記第１実施形態にて述べた左右両壁１０ｄの各コ字状収容部１５の図示は便宜上省略してある。その他の構成は上記第１実施形態と同様である。
【００６７】
このように構成した本第２変形例では、散水器２０が、フランジ２５の左右両側部にて、左右両壁１０ｄの各コ字状収容部１５内にハウジング１０の開口部１０ｅから挿入されると、当該散水器２０は、フランジ２５の前端部にて後壁１０ｂに当接する。このとき、当該フランジ２５の左右両側部は、その各前側外面部２５ａにて、左右両壁１０ｄの各後部１９ｄにより挟支される。このため、散水器２０は後壁１０ｂを基準に左右方向に位置ずれ不能に保持される。その結果、上記第１実施形態と同様に散水器２０は後壁１０ｂに対し左右方向に位置ずれ不能に位置決め固定される。その他の作用効果は上記第１実施形態と同様である。
（第２実施形態）
図１３〜図１６は、本発明の第２実施形態の要部を示している。この第２実施形態においては、上記第１実施形態にて述べた製氷室４０の上壁４１の後部には、両貫通孔部４１ａが、図１３〜図１５から分かるように、間隔をおいて形成されている。また、上記第１実施形態にて述べた後壁１０ｂは、両突起ｂ（図１３では一方の突起ｂのみを示す）を備えており、これら両突起ｂは、図１３及び図１５から分かるように、製氷室４０の上壁４１の両貫通孔部４１ａに対応する位置にて、後壁１０ｂの上部に突出形成されている。両突起ｂは、それぞれ、後壁１０ｂの上部からその内側へ突出しており、これら各突起ｂの上端部には、円柱部ｂ１が上方へ突出形成されている。
【００６８】
また、上記第１実施形態にて述べた後壁１０ｂは、図１３、図１５及び図１６にて示すごとく、ストッパＳに代えて、ストッパＳａを備えている。このストッパＳａの左右両側端部は、図１５及び図１６にて示すごとく、散水器２０側へ挟支部Ｓ１として水平状に突出しており、これら挟支部Ｓ１の間隔は、散水器２０の左右方向幅に対応している。
【００６９】
しかして、後壁１０ｂの各円柱部ｂ１を製氷室４０の上壁４１の各貫通孔部４１ａに下方から嵌装した状態で、上壁４１の左右両端部を、上記第１実施形態にて述べたと同様に、ハウジング１０の左右両側フランジ部１７内にてその底壁内側段部上に各ねじ１７ａにより締着する。これにより、製氷室４０は、その上壁４１の後部にて後壁１０ｂを基準に前後左右方向に位置ずれ不能に位置決め固定される。
【００７０】
ここで、ハウジング１０が合成樹脂材料で形成されていることに起因して、各ねじ１７ａにより締着するために上壁４１の左右両端部に形成される各ねじ孔部は、いわゆるバカ孔として、各ねじ１７ａの首下部の外径よりも大きな内径を有するが、上壁４１の後部を上述のように後壁１０ｂの上端部に位置決め固定するので、上壁４１の前後左右方向の位置ずれは生じない。
【００７１】
また、散水器２０は、その左右両端部にて、ストッパＳａの左右両側挟支部Ｓ１間に挟支された状態で、製氷水タンク５０の押圧板５２とストッパＳａとの間に挟支される。このため、散水器２０は、後壁１０ｂを基準に前後左右方向に位置ずれ不能に位置決め固定される。
【００７２】
以上のように、製氷室４０及び散水器２０は、後壁１０ｂを基準に前後左右方向に位置ずれ不能に位置決め固定される。従って、上述のようにハウジング１０が合成樹脂材料で形成されていても、互いに対応するセル４２及びノズル２１ａは、氷シュート３０の対応通過口３１ａと共に、互いに同軸的に精度よく維持される。
【００７３】
また、製氷室４０及び散水器２０をハウジング１０から取り外して洗浄した後、再度、当該製氷室４０をハウジング１０に取り付けるにあたり、この取り付けは上述と同様に行う。従って、製氷室４０及び散水器２０は、その取り外し前と同様に、後壁１０ｂを基準に前後左右方向に位置ずれ不能に精度よく位置決め固定される。
【００７４】
このため、製氷室４０及び散水器２０の取り外し前において当該製氷機を製氷モードにおいて場合及び製氷室４０及び散水器２０の取り外し後再度ハウジング１０に取り付けた後に当該製氷機を製氷モードにおいた場合、いずれの場合でも、散水器２０の各ノズル２１ａから噴出する製氷水は、これらノズル２１ａに対応する氷シュート３０の各通過口３１ａを円滑に通り、当該各ノズル２１ａに対応す各セル４２内に良好に流入する。従って、各セル４２内に成長する製氷は、製氷水不足による白濁化や異形氷化或いは落下の不良化を防止しつつ、良好に成長し得る。
【００７５】
また、上述のように、ハウジング１０は合成樹脂材料で形成されているとともに製氷室４０の上壁４１が金属材料で形成されているため、当該ハウジング１０は、製氷モード及び除氷モードの繰り返し過程において、製氷室４０の上壁４１から伝達される熱の変動を受けて、わずかながら収縮及び膨張を繰り返し変形しようとする。しかし、上述のごとく、上壁４１が後壁１０ｂを基準に前後左右方向に位置ずれ不能に位置決め固定されている。このため、ハウジング１０の変形が良好に抑制されて、互いに対応するセル４２及びノズル２１ａの同軸的な位置は、上記収縮及び膨張にもかかわらず、精度よく維持される。よって、各セル４２内の製氷は良好に確保され得る。その他の構成及び作用効果は上記第１実施形態と同様である。
【００７６】
なお、本第２実施形態では、散水器２０が水平状にハウジング１０に取り付けれれているが、当該散水器２０がハウジング１０内にて氷シュート３０と同様に傾斜して取り付けられていても、上述のように、製氷室４０の上壁４１を後壁１０ｂを基準に位置決め固定することで、上記第２実施形態と同様の作用効果を達成できる。
【００７７】
図１７は、上記第２実施形態の変形例の要部を示している。この変形例では、上記第２実施形態にて述べた後壁１０ｂの突起ｂにおいて円柱部ｂ１が廃止されている。これに伴い、製氷室４０の上壁４１は、その後部に上記両貫通孔部４１ａに代えて形成した両貫通孔部４１ｂにて、両ねじ４１ｃにより後壁１０ｂの両突起ｂにその上端部から締着され、かつ、製氷室４０の上壁４１よりも上方へ延出する後壁１０ｂの上端部（図１７にて符号ｂ２により示す）に当接して前後方向に位置ずれ不能に位置決め固定される。これによっても、上記第２実施形態と同様の作用効果を達成できる。
（第３実施形態）
図１８〜図２０は、本発明の第３実施形態の要部を示している。この第３実施形態では、上記第２実施形態にて述べた後壁１０ｂの突起ｂにおいて円柱部ｂ１が廃止されている。これに伴い、これに伴い、製氷室４０の上壁４１は、図１８〜図２０にて示すごとく、その後部に上記両貫通孔部４１ａに代えて形成した両貫通孔部４１ｄにて、両ねじ１７ｂにより後壁１０ｂの両突起ｂにその上端部から締着されている。その他の構成は上記第２実施形態と同様である。
【００７８】
このように構成した本第３実施形態においては、上壁４１は、両貫通孔部４１ｄにて、両ねじ１７ｂにより後壁１０ｂの両突起ｂにその上端部から締着された状態で、ハウジング１０の左右両側フランジ部１７内にてその底壁内側段部上に各ねじ１７ａにより締着される。これにより、製氷室４０は、上記第２実施形態と同様に、その上壁４１の後部にて後壁１０ｂを基準に前後左右方向に位置ずれ不能に位置決め固定される。その結果、本第３実施形態によっても、上記第２実施形態と同様の作用効果を達成できる。
【００７９】
図２１は、上記第３実施形態の変形例の要部を示している。この変形例では、上記第３実施形態にて述べた後壁１０ｂの突起ｂが、図２１にて示すごとく、突出部ｂ３を突出形成してなり、この突出部ｂ３は、その先端面にて製氷室４０の後壁１０ｂに対向するセル４２の周壁の一部に前方に向け係合して、上壁４１の後壁１０ｂに対する前後方向の位置決め固定をする。これにより、上記第３実施形態にて述べた製氷室４０の後壁１０ｂに対する前後方向への位置ずれ不能な位置決め固定をより一層向上できる。
【００８０】
なお、本発明の実施にあたり、上記各実施形態や変形例に限ることなく、次のような種々の変形例が挙げられる。
（１）後壁１０ｂの窪み部Ｈは、図８及び図９にて示す形状に限ることなく、適宜変更してもよい。例えば、窪み部Ｈの内周壁部１９ｂのうち左右両壁部を後壁１０ｂの内面に直交するように形成したもよい。この場合には、氷シュート３０の突起３５の左右両側端面も同様に後壁１０ｂの内面に直交するように形成する。
（２）製氷水タンク５０の押圧壁５２に限ることなく、適宜な押さえ部材により散水器２０をハウジング１０の後壁１０ｂの下部に向けて押圧するように、当該押さえ部材を左右両壁１０ｄの一方に適所に設けてもよい。
（３）散水器２０及び氷シュート３０を一体に形成した場合には、当該散水器２０及び氷シュート３０のいずれか一方に突起（両突起２４及び３５の一方に相当する突起）を設けても、上記実施形態や変形例と実質的に同様の作用効果を達成できる。
【図面の簡単な説明】
【図１】本発明に係る製氷機の第１実施形態を示す断面図である。
【図２】図１にて２−２線に沿う断面図である。
【図３】上記第１実施形態において氷シュートを省略した状態における分解斜視図である。
【図４】上記第１実施形態において散水器及び製氷水タンクを省略した状態における分解斜視図である。
【図５】上記第１実施形態において氷シュート、散水器及び製氷水タンクを省略した状態における分解斜視図である。
【図６】左壁の前端部側上部に形成したコ字状収容部に前壁の左端部を収容する場合の部分的拡大斜視図である。
【図７】図１にて７−７線に沿う部分拡大断面図である。
【図８】上記第１実施形態において氷シュートを後壁の横断面との関係で平面図である。
【図９】上記第１実施形態における後壁の前面図である。
【図１０】上記第１実施形態の第１変形例の要部を示す部分断面平面図である。
【図１１】上記第１変形例における後壁の前面図である。
【図１２】上記第１実施形態の第２変形例の要部を示す部分断面平面図である。
【図１３】本発明の第２実施形態の部分断面図である。
【図１４】上記第２実施形態における製氷室の上壁とハウジングの後壁の上端部との間の関係を示す部分拡大断面図である。
【図１５】上記第２実施形態において図２と同様の断面からみた部分断面図である。
【図１６】上記第２実施形態における後壁のストッパ位置における断面図である。
【図１７】上記第２実施形態の変形例を示す要部拡大断面図である。
【図１８】本発明の第３実施形態を示す部分断面図である。
【図１９】上記第３実施形態における製氷室の上壁とハウジングの後壁の上端部との間の関係を示す部分拡大断面図である。
【図２０】上記第３実施形態において図２と同様の断面からみた部分断面図である。
【図２１】上記第３実施形態の変形例を示す要部拡大断面図である。
【符号の説明】
１０…ハウジング、１０ａ…前壁、１０ｂ…後壁、１０ｄ…左右両壁、
１０ｅ…前側開口部、１７ａ、１７ｂ、４１ｃ…ねじ、１９ｂ…内周壁部、
１９ｃ…凹部、２０…散水器、２１ａ…ノズル、２４、３５、３６…突起、
３０…氷シュート、３１ａ…通過口、３５ａ…左右両側端面、３６ａ…切り欠き部、
４０…製氷室、４１…上壁、４１ａ、４１ｂ、４１ｄ…貫通孔部、４２…セル、
５０…製氷水タンク、ｂ１…円柱部、ｂ２…上端部、Ｈ…窪み部、
Ｓ、Ｓａ…ストッパ、Ｓ１…挟支部。
【図１】
2004324950.tif 000003
【図２】
2004324950.tif 000004
【図３】
2004324950.tif 000005
【図４】
2004324950.tif 000006
【図５】
2004324950.tif 000007
【図６】
2004324950.tif 000008
【図７】
2004324950.tif 000009
【図８】
2004324950.tif 000010
【図９】
2004324950.tif 000011
【図１０】
2004324950.tif 000012
【図１１】
2004324950.tif 000013
【図１２】
2004324950.tif 000014
【図１３】
2004324950.tif 000015
【図１４】
2004324950.tif 000016
【図１５】
2004324950.tif 000017
【図１６】
2004324950.tif 000018
【図１７】
2004324950.tif 000019
【図１８】
2004324950.tif 000020
【図１９】
2004324950.tif 000021
【図２０】
2004324950.tif 000022
【図２１】
2004324950.tif 000023